(57)【要約】【課題】内容物収容皿の落下強度が向上し、安価で、しかも、振動や衝撃等で化粧皿が損傷したり、変形したりすることがなく、しかも、部品点数が少なくて作業時間が短く、また、接着剤を必要としない密閉容器を提供する。【解決手段】上面に化粧皿収容凹部１ａが形成された容器本体１と、容器本体１の全体を蓋する蓋体と、上記化粧皿収容凹部１ａに収容される化粧皿３とを備えている。そして、この化粧皿３に、閉蓋状態で化粧皿３のみを気密状に蓋しうる蓋部１２を設け、この蓋部１２を、化粧皿３の外周壁面にその周方向に沿って巻回，固定される環状固定部１３と、化粧皿３を開閉するために上記環状固定部１３に連結される蓋本体部１６とで構成し、上記化粧皿収容凹部１ａの周壁面に環状固定部１３を当接させた状態で、上記化粧皿収容凹部１ａに化粧皿３を収容し、環状固定部１３の弾性力で保持，固定している。【選択図】図６
2005289429.tif 000002
【特許請求の範囲】
【請求項１】
上面に凹部が形成された容器本体と、上記容器本体の全体を蓋する蓋体と、上記容器本体の凹部に収容される内容物収容皿とを備え、上記内容物収容皿に、閉蓋状態で上記内容物収容皿のみを気密状に蓋しうる蓋部を設け、この蓋部を、上記内容物収容皿の外周壁面にその周方向に沿って巻回，固定される環状弾性固定部と、上記内容物収容皿を開閉するために上記環状弾性固定部に連結される蓋本体部とで構成し、上記容器本体の凹部の周壁面に環状弾性固定部を当接させた状態で、上記容器本体の凹部に内容物収容皿を収容し、上記環状弾性固定部の弾性力で保持，固定するように構成したことを特徴とする密閉容器。
【請求項２】
上記蓋部が、ゴム材料もしくは弾性を有する樹脂材料で一体成形されている請求項１記載の密閉容器。
【発明の詳細な説明】
【技術分野】
【０００１】
本発明は、揮発性の高い化粧料等の内容物を収容するのに適した密閉容器に関するものである。
【背景技術】
【０００２】
従来から、揮発性成分を含有する化粧料を収容する化粧料容器等の密閉容器として、その内部の気密性を保つために、図９および図１０に示すような化粧料容器が提案されている。この化粧料容器は、上面の前半部に第１，第２凹部３１ａが左右に形成された容器本体３１と、この容器本体３１の上面を蓋する外蓋３２と、上記容器本体３１，外蓋３２間に配設された中蓋３３とからなり、上記容器本体３１の両凹部３１ａに、揮発性化粧料３４ａが装填された金皿３４が密接嵌合されている。また、上記容器本体３１の上面の、上記両凹部３１ａの周縁部に溝部３１ｂが形成されており、この溝部３１ｂにシール部材としてパッキング３５が嵌着されている。そして、上記中蓋３３を閉蓋した状態で、上記パッキング３５の上端部が中蓋３３の内側面に圧接しており、これにより、両金皿３４が気密状に保持されるようにしている（例えば、特許文献１参照）。また、このような化粧料容器では、容器本体３１の両凹所３１ａに両金皿３４をホットメルト等の接着剤で接着，固定することがよく行われている。
【特許文献１】特開平１１−９３３５号公報
【発明の開示】
【発明が解決しようとする課題】
【０００３】
しかしながら、上記の化粧料容器では、容器本体３１の両凹部３１ａに両金皿３４を密接嵌合しているだけであるため、運搬時等に振動や衝撃等が化粧料容器に作用すると、上記振動や衝撃等で金皿３４が損傷したり、変形したりするという問題がある。しかも、上記の化粧料容器は、容器本体３１，外蓋３２，中蓋３３および金皿３４からなっており、部品点数が多く、組立作業に時間がかかる。しかも、容器本体３１の両凹部３１ａに金皿３４を密接嵌合させているため、脱着作業が難しく、この脱着作業にも時間がかかる。しかも、容器本体３１の両凹部３１ａに両金皿３４を接着剤で接着，固定する化粧料容器では、上記接着剤が必要になるという問題もある。そこで、両金皿３４の外周壁面に係合用の凹部（図示せず）を形成するとともに、容器本体３１の両凹部３１ａの周壁面に、上記凹部に着脱自在に係合する係合用の凸部（図示せず）を形成し、上記凹部と凸部とを着脱自在に係合させた状態で、上記両凹所３１ａに両金皿３４を収容，固定し、これにより両金皿３４が上方に抜け出すのを防止することが考えられる。この化粧料容器では、上記接着剤をなくすことができるものの、両金皿３４の外周壁面に係合用の凹部が形成されているため、金皿３４の落下強度が低下するという問題や、化粧皿の成形金型として、係合用の凹部が形成された特殊な成形金型を使用しなければならず、その分成形金型が高価になり、コンパクトのコストが上がるという問題がある。
【０００４】
本発明は、このような事情に鑑みなされたもので、内容物収容皿の落下強度が向上し、安価で、しかも、振動や衝撃等で化粧皿が損傷したり、変形したりすることがなく、しかも、部品点数が少なくて組立作業時間が短く、また、接着剤を必要としない密閉容器の提供をその目的とする。
【課題を解決するための手段】
【０００５】
上記の目的を達成するため、本発明の密閉容器は、上面に凹部が形成された容器本体と、上記容器本体の全体を蓋する蓋体と、上記容器本体の凹部に収容される内容物収容皿とを備え、上記内容物収容皿に、閉蓋状態で上記内容物収容皿のみを気密状に蓋しうる蓋部を設け、この蓋部を、上記内容物収容皿の外周壁面にその周方向に沿って巻回，固定される環状弾性固定部と、上記内容物収容皿を開閉するために上記環状弾性固定部に連結される蓋本体部とで構成し、上記容器本体の凹部の周壁面に環状弾性固定部を当接させた状態で、上記容器本体の凹部に内容物収容皿を収容し、上記環状弾性固定部の弾性力で保持，固定するように構成したという構成をとる。
【発明の効果】
【０００６】
すなわち、本発明の密閉容器は、容器本体の内容物収容皿に、閉蓋状態で上記内容物収容皿のみを気密状に蓋しうる蓋部を設け、この蓋部を、上記内容物収容皿の外周壁面にその周方向に沿って巻回，固定される環状弾性固定部と、上記内容物収容皿を開閉するために上記環状弾性固定部に連結される蓋本体部とで構成している。そして、上記容器本体の凹部の周壁面に環状弾性固定部を当接させた状態で、上記容器本体の凹部に内容物収容皿を収容し、上記環状弾性固定部の弾性力で保持，固定するように構成している。このように、本発明では、内容物収容皿に設けた蓋部の環状弾性固定部の弾性力を利用して、容器本体の凹部に内容物収容皿を収容，固定するようにしている。このため、上記内容物収容皿の外周壁面に係合用の凹部等を形成する必要がなくなり、内容物収容皿の落下強度が向上し、しかも、化粧皿の成形金型として特殊な成形金型を使用しなくてよく、その分成形金型が安価になり、コンパクトのコストが下がる。しかも、上記環状弾性固定部が緩衝作用を有し、運搬時等に振動や衝撃等が上記環状弾性固定部に作用しても、その緩衝作用で化粧皿を保護することができる。しかも、本発明の密閉容器は、容器本体と、蓋体と、蓋部を設けた内容物収容皿とからなるため、部品点数が少なく、組立作業に時間を要しない。しかも、内容物収容皿を脱着させる際に、上記環状弾性固定部が弾性変形しながら容器本体の凹部の周壁面に当接するため、上記脱着がスムーズに行え、脱着作業に時間を要しない。しかも、ホットメルト等の接着剤を必要としない。
【０００７】
上記蓋部が、ゴム材料もしくは弾性を有する樹脂材料で一体成形されていると、上記蓋部を成形金型等により簡単に作製することができる。
【発明を実施するための最良の形態】
【０００８】
つぎに、本発明の実施の形態を図面にもとづいて詳しく説明する。
【０００９】
図１および図２は本発明の密閉容器の一実施の形態を示している。図において、１は上面に化粧皿収容凹部（凹部）１ａおよびパフ収容凹部１ｂが形成された合成樹脂製の容器本体（図３参照）で、２は上記容器本体１の上面全体を蓋する合成樹脂製の蓋体で、３は上記容器本体１の化粧皿収容凹部１ａの底面上に収容される金属製もしくは合成樹脂製の化粧皿（内容物収容皿）であり、その内部に揮発性化粧料（内容物）３ａが収容されている。この化粧皿３には、その外周壁面に係合用の凹部等は形成されていない。図１において、５は上記蓋体２の裏面に固定された鏡で、６は上記容器本体１の化粧皿収容凹部１ａの底壁に穿設された貫通孔であり、化粧皿収容凹部１ａから化粧皿３を取り外す際に利用される。
【００１０】
上記容器本体１の化粧皿収容凹部１ａには、図４に示すように、その化粧皿収容凹部１ａの周壁面の上端部に、上面が開放された環状凹部１１が形成されており、この環状凹部１１に、後述する蓋部１２の環状固定部（環状弾性固定部）１３が配設されている。また、上記化粧皿収容凹部１ａには、蓋部１２が固定された化粧皿３（図５参照）が、上方への抜け出し防止状に収容されている。
【００１１】
上記蓋部１２は、気密性，弾性を有する樹脂材料（例えば、シリコン系樹脂，ウレタン系樹脂）を用い、金型成形により一体成形されたものであり、上記蓋体２にインサート成形により一体成形されている。また、上記蓋部１２は、図６に示すように、上記化粧皿３の外周壁面の上端部全周にその周方向に沿って巻回されて接着，固定された断面形状Ｕ字状の環状固定部１３と、この環状固定部１３の断面形状Ｕ字状の外側壁１３ａの一側部（この実施の形態では、左側部）の上端部から外側に延びる連結用板部１４と、この連結用板部１４にヒンジ連結部１５を介して回動自在に連結される蓋本体部１６（図７参照）と、この蓋本体部１６の他側部（この実施の形態では、右側部）から突設された摘まみ部１７（図５参照）とからなり、上記蓋本体部１６で化粧皿３の上端開口が蓋されている。また、上記環状固定部１３は、上記化粧皿収容凹部１ａの環状凹部１１に配設，収容されており、上記連結用板部１４は、上記化粧皿収容凹部１ａの左側壁の上端面に載置されており、上記摘まみ部１７の下面が上記環状固定部１３の右側部の外周縁部に着脱自在に係合している。
【００１２】
また、上記蓋本体部１６には、その下面に、閉蓋状態で上記環状固定部１３の断面形状Ｕ字状の凹溝１３ｃ（すなわち、外側壁１３ａと内側壁１３ｂとの間に形成される環状の凹溝）に気密状に嵌合する外側環状突条１８が突設されており、この外側環状突条１８の内側に、閉蓋状態で上記化粧皿３の周側壁の上端面に気密状に当接する内側環状突条１９が突設されている（図８参照）。このような蓋部１２が固定された化粧皿３は、レフィル用としても、販売等される。図６および図７において、２０は上記環状固定部１３の底面から突設された複数個の凸部であり、上記凹溝１３ｃの底面に当接している。
【００１３】
また、上記容器本体１には、図３に示すように、その前端部に前側凹部２２が形成されており、この前側凹部２２の奥壁面に設けた係合凸部２２ａに、上記蓋体２の前端部に形成された係合爪部２ａ（図１参照）が着脱自在に係合している。また、上記容器本体１には、その後端部に後側凹部２３が形成されており、この後側凹部２３に、上記蓋体２の後端部から垂下する連結部２ｂがヒンジ軸２４を介してヒンジ連結されている（図１参照）。図１において、７は上記容器本体１の前側凹部２２に配設された開蓋用のフックピースである。
【００１４】
上記の構成において、容器本体１の化粧皿収容凹部１ａに化粧皿３を収容，固定する場合には、開蓋状態にしたのち、上記化粧皿収容凹部１ａ内に閉蓋状態の化粧皿３を押し込むことを行う。これにより、上記化粧皿収容凹部１ａの凹部１１の周壁面に、化粧皿３に固定した蓋部１２の環状固定部１３が当接しながら、上記化粧皿収容凹部１ａ内を化粧皿３が下降し、上記凹部１１内に環状固定部１３が収容された状態で、化粧皿３が上記化粧皿収容凹部１ａ内に収容，固定される。そして、この状態では、上記環状固定部１３の弾性力で化粧皿３が上記化粧皿収容凹部１ａ内に上方への抜け出し防止状に保持，固定されている。
【００１５】
また、蓋部１２を閉蓋した状態では、上記蓋本体部１６で化粧皿３の上面開口が蓋されており、かつ、上記蓋本体部１６の外側環状突条１９が上記環状固定部１３の断面形状Ｕ字状の凹溝１３ｃに気密状に嵌合しているとともに、上記内側環状突条２０が化粧皿３の周側壁の上端面に気密状に当接しており、これにより、化粧皿３内が気密状態に保持されている。また、使用時には、蓋体２を後方に回動させて開蓋し、この開蓋状態で上記蓋部１２の蓋本体部１６をヒンジ連結部１５を中心に回動させて容器本体１の外側に移動させたのち、化粧を行う。
【００１６】
また、上記容器本体１の化粧皿収容凹部１ａから化粧皿３を取り出す場合には、上記化粧皿収容凹部１ａの底壁の貫通孔６に棒等（図示せず）を挿通し、この棒等の上端部で化粧皿３の底壁を下から押し上げる。これにより、上記蓋部１２の環状固定部１３の弾性力に抗して化粧皿３が上方に押し上げられ、この押し上げられた化粧皿３を手指で持ち上げて化粧皿収容凹部１ａから取り出すことを行う。
【００１７】
このように、上記実施の形態では、容器本体１の化粧皿収容凹部１ａの凹部１１の周壁面に、化粧皿３に固定した蓋部１２の環状固定部１３を当接させた状態で、上記化粧皿収容凹部１ａに化粧皿３が収容，固定されているため、化粧皿３の外周壁面に係合用の凹部等を形成する必要がなく、化粧皿３の落下強度が向上する。しかも、化粧皿３の成形金型として、特殊な成形金型を使用する必要がなく、その分成形金型が安価になり、コンパクトのコストが下がる。しかも、上記環状固定部１３が緩衝作用を有しているため、運搬時等に振動や衝撃等が環状固定部１３に作用しても、その緩衝作用で化粧皿３を保護することができる。しかも、この密閉容器が、容器本体１と、蓋体２と、蓋部１２を設けた化粧皿３とで構成されているため、部品点数が少なく、組立作業に時間を要しない。しかも、化粧皿３を脱着させる際に、上記環状固定部１３が弾性変形するため、上記脱着がスムーズに行え、脱着作業に時間を要しない。したがって、作業時間を大幅に短縮することができる。しかも、ホットメルト等の接着剤を必要としない。
【００１８】
なお、上記実施の形態では、蓋部１２の構成材料として、気密性，弾性を有する樹脂材料を用いているが、これに限定するものではなく、ゴム材料（例えば、シリコンゴム，ウレタンゴム）や気密性，弾性を有するエラストマーを用いてもよい。
【図面の簡単な説明】
【００１９】
【図１】本発明の密閉容器の一実施の形態を示す断面図である。
【図２】上記密閉容器の要部の断面図である。
【図３】容器本体の平面図である。
【図４】上記容器本体の要部の平面図である。
【図５】蓋部が固定された化粧皿の断面図である。
【図６】上記蓋部が固定された化粧皿の要部の断面図である。
【図７】上記蓋部の作用を示す要部の断面図である。
【図８】上記蓋部の作用を示す要部の平面図である。
【図９】従来例を示す斜視図である。
【図１０】上記従来例の要部を示す断面図である。
【符号の説明】
【００２０】
１  容器本体
１ａ  化粧皿収容凹部
３  化粧皿
１２  蓋部
１３  環状固定部
１６  蓋本体部
【図１】
2005289429.tif 000003
【図２】
2005289429.tif 000004
【図３】
2005289429.tif 000005
【図４】
2005289429.tif 000006
【図５】
2005289429.tif 000007
【図６】
2005289429.tif 000008
【図７】
2005289429.tif 000009
【図８】
2005289429.tif 000010
【図９】
2005289429.tif 000011
【図１０】
2005289429.tif 000012